【事件の表示】
　平成２年特許願第２４４３０号「自動振込装置」拒絶査定に対する審判事件（平成３年１０月１１日出願公開、特開平３−２２９３６１）について、次のとおり審決する。
【結論】
　本件審判の請求は、成り立たない。
【理由】
１．手続の経緯及び本願発明
　本件審判請求に係る出願は、平成２年２月５日の出願であって、特許を受けようとする発明は、その明細書及び図面の記載からみて、特許請求の範囲に記載された次のとおりのものである（以下「本願発明」という。）。
「　伝票挿入口と、
該伝票挿入口より挿入された払込伝票上の文字を読み取るＯＣＲ部と、
現金の入出金を行う現金入出金機と、
顧客用の操作部と、操作用のガイダンス等を表示する表示部と、
上記各部の制御を行う制御部を有する自動振込装置において、
払込種目に対応する伝票ごとの読み取り位置データを格納した格納手段と、
一時記憶部と、
演算手段とを設け、
払込取引時に複数の伝票による払込を一度に行う場合、前記表示部に払込種目の画面を表示して、前記操作部により種目を選択させ、この選択された種目に対応する伝票ごとの読み取りデータを前記格納手段から呼び出し、呼び出した読み取り位置データに基づいて、顧客により前記伝票挿入口から挿入された伝票を前記ＯＣＲ部で順次読み取り、読み取った金額データを読み取り順をつけて前記一時記憶部に記憶させる処理を、すべての伝票に対して繰り返し行うと同時に、読み取り順に前記選択された種目と読み取った金額データを対応させて前記表示部に順次列挙表示し、すべての伝票の読み取り後、金額データの合計を前記演算部で演算して、演算された合計金額を前記表示部に表示し、その表示内容を前記操作部により確認させて、払込処理を開始することを特徴とする自動振込装置。」
２．引用例に記載された発明
　当審における拒絶理由通知で引用した特開平１−１９４０６９号公報（以下「引用例１」という。）には、次の事項が第１〜３図と共に記載されている。
　「利用者にとって操作が簡単で短時間で入金取引ができ、また装置の負荷を軽減することの出来る自動取引装置を提供することを目的とする。」（公報第２頁左下欄第７〜１０行）、「複数の入金取引に必要な取引金額の合計金額を１回の現金投入操作または１回の口座振替で入金し、入金取引処理をも一括して行なうようにしたものである。これにより、利用者が同時に複数の入金取引を行う場合は、現金取引時に現金の投入および釣銭の受取りという操作を繰り返して行う必要がなくなるとともに、…（略）…操作が簡単になるとともに短時間で入金取引を行うことができ、また、装置の稼働回数も少なくて済むので、その負荷を軽減させることができるものとなっている。」（同第２頁右下欄第７〜１８行）、「第３図はこの発明に係る自動取引装置を示すものである。すなわち、筐体１の前面には略Ｌ字形状の操作部２が形成されている。この操作部２の水平面には、入金すべき紙幣を多数枚一括して投入し得るととも、紙幣の釣銭を受け取る紙幣入出金口３が設けられている。…（略）…また、操作部２の水平面には、例えばタッチパネル（タッチセンサ）を備えたカラーＣＲＴ表示部４が設けられている。この表示部４は、操作手順、確認項目その他の情報をイラスト、文字あるいは文書によって画面に表示し、…（略）…および税金、電気・ガス・水道料金の請求書等の公金伝票を挿入する公金伝票挿入口９が設けられている。」（同第３頁左上欄第２行〜右上欄第１５行）、「また、筐体１の内部には、第２図に示すように、…（略）…上記公金伝票挿入口９から挿入された公金伝票の記録内容を読取るとともに取引内容を記録する公金伝票読取装置１４、上記紙幣入出金口３に投入された紙幣を受入れて鑑査及び計数を行なうとともに、上記紙幣入出金口３に釣銭紙幣を返却する紙幣入出金機１５、上記硬貨入出金口４に投入された硬貨を受入れて鑑査及び計数を行なうとともに、上記硬貨入出金口４に釣銭硬貨を返却する硬貨入出金機１６、…（略）…制御部１０の制御に必要な演算を司る演算部２０、および種々のデータあるいはプログラムを格納する記憶部２１が設けられている。」（同第３頁右上欄第１６行〜右下欄第１行）、「次に、このような構成において第１図に示すフローチャートを参照して動作を説明する。たとえば今、利用者がこの自動取引装置の前に立つ。このとき、表示部４には、例えば「取引を指定して下さい」と表示されるとともに、「預入、公金振込、口座振込、…」の選択キーが表示される（ステップＳ１）。…（略）…この取引種類選択で「公金振込」の表示部分に触れると、これにより、取引種類の選択が完了し、制御部１０は次の処理に進むことを判断してステップＳ２へ進む。ステップＳ２では表示部４に、例えば「公金伝票を入れて下さい」と表示し、利用者に税金、電気・ガス・水道料金の請求書等の公金伝票を挿入するように促す。そして、公金伝票が挿入されるのを待って待機する。この状態で公金伝票が公金伝票挿入口９に挿入されると、公金伝票読取装置１４によりその公金伝票に記録されている公金の種類、請求金額等を読取って記憶部２１に記憶しておく。以上の処理が終了すると、ステップＳ３を迂回してステップＳ４へ進む。」（同第３頁右下欄第１行〜第４頁右上欄第１１行）、「以下、同様にしてステップＳ１〜Ｓ４を繰返し、利用者が行なおうとしている入金取引に必要な入金取引情報を全て入力する。…（略）…このようにして、全ての入金取引情報を入力した後のステップＳ４で、「継続する取引がありますか」と表示するとともに、その指示キーを表示し、利用者の判断が求められたときに、利用者が継続する取引がない旨を指示する指示キーに触れると、ステップＳ５へ進み、先に入力されて記憶部２１に記憶されている入金取引情報の中から各入金取引に対応する取引金額、つまり預入金額、公金伝票の請求金額および他の口座への振込金額を取出してこれらの合計を算出し、これに手数料を加えて請求合計金額とする。この請求合計金額は表示部４に表示される。また、利用者が現金支払を希望しているか預金口座からの振替を希望しているかを判断するため、例えば「支払方法を指定して下さい」と表示するとともに、「現金、口座振替」の選択キーが表示される。利用者が現金支払いを希望するときは、この案内に従って、「現金」と表示されたキー部分に触れる。これにより、支払方法の選択が完了し、制御部１０は次の処理に進むことを判断してステップＳ６へ進む。」（同第４頁左下欄第１７行〜第５頁左上欄第１６行）。
　ところで、上記引用例１には、複数の入金取引として「預入、公金振込、口座振込」を順次行った場合の動作例が記載されているが、複数の入金取引として、複数の公金振込を順次行うことが可能なことは、引用例１の記載に照らして明らかである。
　又、引用例１の「先に入力されて記憶部２１に記憶されている入金取引情報の中から各入金取引に対応する取引金額、つまり預入金額、公金伝票の請求金額および他の口座への振込金額を取出してこれらの合計を算出し、これに手数料を加えて請求合計金額とする。この請求合計金額は表示部４に表示される。」（公報第４頁右下欄第１３〜１９行）の記載をみると、請求合計金額の表示に対してその金額を確認させることは明記されていない。しかし、引用例１の「この表示部４は、操作手順、確認項目その他の情報をイラスト、文字あるいは文書によって画面に表示し、」（同第４頁右下欄第１３〜１９行）との記載によれば、表示部には「確認項目」が表示されることは明らかであり、又、一般に自動取引装置において、振込先、入金額等の確認は必ずなされる行為であることを勘案すれば、引用例１に記載された自動取引装置においても合計金額の確認がなされることは自明である。
　以上の点からみて、引用例１には、公金伝票を挿入する公金伝票挿入口、公金伝票挿入口から挿入された公金伝票の記録内容を読取るとともに取引内容を記録する公金伝票読取装置、紙幣入出金口に投入された紙幣を受入れて鑑査及び計数を行なうとともに紙幣入出金口に釣銭紙幣を返却する紙幣入出金機、硬貨入出金口に投入された硬貨を受入れて鑑査及び計数を行なうとともに硬貨入出金口に釣銭硬貨を返却する硬貨入出金機、略Ｌ字形状の操作部、操作手順、確認項目等を表示するカラーＣＲＴ表示部、種々のデータあるいはプログラムを格納する記憶部、必要な演算を司る演算部、装置全体を制御する制御部を有する自動取引装置において、公金振込取引時に複数の公金伝票による公金振込を一度に行う場合、公金伝票読取装置により公金伝票挿入口から挿入された公金伝票に記録されている公金の種類、請求金額等を読取り、記憶部に記憶し、利用者が振り込もうとしている全ての公金伝票について、これらの処理を順次繰り返して行い、記憶部に記憶された請求金額を取出してその合計を演算部が算出し、合計金額を表示部に表示し、その表示内容を操作部により確認させて、その後に現金の投入処理を開始する自動取引装置が記載されていると認める。
　同じく引用した、特開平１−１８３７７６号公報（以下「引用例２」という。）には、「公共料金などの払込取引を自動的に行なう自動取引装置に関する。」（公報第１頁右欄第９〜１０行）、「本発明は、上記したように複数件の払込取引を連続して行う場合、操作が煩わしく、処理時間がかかるという問題点を解決すべくなされたもので、簡単な操作で連続して払込取引を行うことができるとともに、短時間で複数件の払込取引を処理することが可能となる自動取引装置を提供することを目的とする。」（同第２頁右上欄第２０行〜左下欄第６行）、「複数件の払込取引の場合には、釣銭の払出しをせずに連続して受付けが可能であるため、簡単な操作で連続して払込取引を行うことができるとともに、短時間で複数件の払込取引を処理することが可能となる。」（同第２頁右下欄第１２〜１６行）、「この光学的読取装置４２は、あらかじめ複数種の払込票書式の特徴（たとえば払込票の種別ごとに読取るべき情報の位置と内容、領収印を印字すべき位置など）を記憶していて、払込みの種別が指定されると対応する払込票書式が選択され、その特徴を利用して払込票Ｐ上の払込情報を読取るようになっている。」（同第４頁左下欄第２０行〜右下欄第６行）ことが記載されている。
　これらの記載からみて、引用例２には、公共料金などの払込取引を自動的に行う自動取引装置であって、あらかじめ複数種の払込票書式の種別ごとに読取るべき情報の位置と内容を記憶しておき、払込みの種別を指定することにより対応する払込票書式が選択され、この書式の読取るべき情報の位置に基づいて払込票の読み取る払込情報を備えた自動取引装置が記載されていると認める。
　又、同じく引用した特開昭６３−２４１６５８号公報（以下「引用例３」という。）には、「その目的は１回の取引操作により複数の振込先に振込ができるようにすることである。」（公報第２頁左上欄第１０〜１１行）、「振込専用明細書が挿入されると、ＣＰＵ１０は伝送制御部１４を介してセンタに、振込明細書の磁気ストライプから読取った店番、科目、口座番号を送信することにより振込先の紹介を行ない、センタから上記店番、科目、口座番号に対応した振込先が送られてくるのを待つ（ステップ５２）。」（同第４頁左下欄第３行〜９行）、「ＣＰＵ１０はステップ５２の処理で振込先を得ると、表示入力器２にステップ５２で得た振込先を表示させ、顧客が入力完了キーをタッチするのを待つ（ステップ５３）。顧客は表示入力器２に振込先が表示されると、表示された振込先の中の希望する振込先に振込金額を入力し、希望する全ての振込先に振込金額を入力完了すると、入力完了キーをタッチする。」（同第４頁左下欄第１６行〜右下欄第３行）、「顧客は一括振込入力画面が表示されると、振込を希望する振込先対応の選択キーをタッチし、次いでテンキーｅ及び単位キーｈ〜ｊをタッチすることにより振込金額を入力する。希望する振込先が複数ある場合は、上述した操作を繰り返し行なう。そして、希望する全ての振込先に対して振込を入力すると、顧客は振込金額指定完了キーをタッチする。ＣＰＵ１０は表示入力部２に一括振込金額入力画面を表示させた後、振込金額指定完了キーｄがタッチされるまでは、上述したように入力された振込金額を表示入力器２の振込先対応の位置に表示させる処理を行ない、…（略）…変更する（ステップＳ７５）。」（同第５頁左下欄第１５行〜右下欄第１０行）、「１つでもセンタからの応答を正常受信出来た振込先があると判断した場合は、第８図に示すような一括振込内容確認画面を表示入力部２に表示させる。…（略）…一括振込内容確認画面には、第８図に示すように、取消キーｍ及び顧客が表示内容を確認したことを入力するための確認キーｎも表示される。」（同第６頁左上欄第１２行〜右上欄第２行）こと、及び第７図に表示入力器に表示させる振込金額入力画面の一例、第８図に表示入力器に表示される一括振込内容確認画面の一例が、記載されている。
　これらの記載及び第７図の記載からみて、引用例３には、振込専用明細書から読取った店番、科目、口座番号に基づいて得た複数の振込先を表示部に表示し、希望する複数の振込先に順次振込金額を入力し、表示部には振込先に対応した振込金額が順次列挙表示される振込取引処理装置が記載されていると認める。
３．対比・判断
　本願発明と引用例１に記載された発明とを比較すると、両者は次の一致点、相違点を有するものと認められる。
［一致点］
　伝票挿入口と、伝票挿入口より挿入された払込伝票上の記録内容を読み取る読取装置と、現金の入出金を行う現金入出金機と、顧客用の操作部と、操作用のガイダンス等を表示する表示部と、上記各部の制御を行う制御部を有する自動振込装置において、
　一時記憶部と、
　演算手段とを設け、
　払込取引時に複数の伝票による払込を一度に行う場合、顧客により前記伝票挿入口から挿入された伝票を前記読取装置で読み取り、読み取った金額データを前記一時記憶部に記憶させる処理を、すべての伝票に対して繰り返し行うとともに、すべての伝票の読み取り後、金額データの合計を前記演算部で演算して、演算された合計金額を前記表示部に表示し、その表示内容を操作部により確認させて、払込処理を開始することを特徴とする自動振込装置。
［相違点１］
　払込伝票上の記録内容の読み取りに関して、本願発明では、文字を読み取るＯＣＲ部と払込種目に対応する伝票ごとの読み取り位置データを格納した格納手段とを有し、表示部に払込種目の画面を表示して、操作部により種目を選択させ、この選択された種目に対応する伝票ごとの読み取りデータを前記格納手段から呼び出し、呼び出した読み取り位置データに基づいて、順次読み取るのに対して、引用例１に記載された発明では、読取装置の種類及び具体的な読み取り手順が特定されていない点。
［相違点２］
　本願発明では、読み取った金額データを読み取り順をつけて一時記憶部に記憶させ、読み取り順に前記選択された種目と読み取った金額データを対応させて前記表示部に順次列挙表示しているのに対して、引用例１に記載された発明では、読取った公金の種類、請求金額等を記憶部に記憶するだけである点
　これらの相違点について検討する。
［相違点１］について
　読取装置として、光学的読取装置の一種である文字を読み取るＯＣＲ部は、文献を挙げるまでもなく周知のものであり、又、自動取引装置における払込伝票の記録内容の読み取りに、複数種の払込票書式の種別ごとに読み取るべき情報の位置と内容を記憶しておき、払込の種別が指定されると対応する払込書式を選択し、その書式に基づいて払込票払込情報を読み取るという手順の光学的読取装置を用いることは引用例２に記載されており、さらに、自動取引装置等の操作に際して、表示部に表示された複数の種目から１つを選択させることは、文献を挙げるまでもなく周知であるから、引用例１の公金伝票読取装置として周知のＯＣＲ部を用い、且つ、具体的読取手順として上記相違点に係る手順とすることは、当業者が容易になし得ることである。
［相違点２］について
　上記引用例３には、振込取引装置において、振込先に振り込み金額を入力する度に、振込先に対応させて入力内容を順次列挙表示することが記載されているから、払込情報即ち選択された種目と読み取った金額を順次列挙表示させるようにすることは、当業者が容易に想到し得ることである。
　又、複数のデータを入力するとき、識別情報としての入力順を示すデータが必要であることは自明であるから、そのデータに対応して読み取り順をつけて振込情報を記憶させることは、当業者が容易になし得ることである。
　上記のとおり、相違点１、２は、いずれも当業者が容易になし得る程度の事項であり、しかも、両相違点に係る構成を有することにより、本願発明が格別の効果を奏するものとも認められないから、本願発明は、引用例１〜３に記載された発明及び周知技術に基づいて、当業者が容易に発明をすることができたものである。
４．むすび
　以上のとおりであるから、本願発明は特許法第２９条第２項の規定により特許を受けることはできない。
　よって、結論のとおり審決する。